(57)【特許請求の範囲】
【請求項１】
第１の無線システムに含まれる基地局装置であって、
伝送速度が第１の無線システムよりも速い第２の無線システムからハンドオーバしてきた端末に、通常よりも高い優先度を与えることを特徴とする基地局装置。
【請求項２】
伝送速度が第１の無線システムよりも速い第２の無線システムからハンドオーバしてきた端末に、同一ＱｏＳの他の端末よりも高い優先度を与えることを特徴とする請求項１記載の基地局装置。
【請求項３】
伝送速度が第１の無線システムよりも速い第２の無線システムからハンドオーバしてきた端末に、同一受信品質の他の端末よりも高い優先度を与えることを特徴とする請求項１記載の基地局装置。
【請求項４】
伝送速度が第１の無線システムよりも速い第２の無線システムからハンドオーバしてきた端末に、同一受信レベルの他の端末よりも高い優先度を与えることを特徴とする請求項１記載の基地局装置。
【請求項５】
伝送速度が第１の無線システムよりも速い第２の無線システムからハンドオーバしてきた端末に、通常よりも高い優先度を与えたあと、所定時間経過すると前記端末に通常の優先度を与えることを特徴とする請求項１記載の基地局装置。
【請求項６】
前記端末が前記第２の無線システムからハンドオーバしてくる前に、前記第２の無線システムに含まれる他の基地局装置から前記第２の無線システムに関する情報を通知されることを特徴とする請求項１記載の基地局装置。
【請求項７】
前記端末に与える優先度を決定し、その優先度をスケジューラに通知する優先度決定手段と、
前記端末が前記第２の無線システムからハンドオーバしてくる前に、前記第２の無線システムに含まれる他の基地局装置から前記第２の無線システムに関する情報を通知され、その情報に基づいて前記第２の無線システムの伝送速度が前記第１の無線システムよりも速いとき前記端末に与える優先度を上げると判定し、前記優先度決定手段に前記端末に与える優先度を所定時間上げさせる無線システム間ハンドオーバ判定手段と
を有することを特徴とする請求項１記載の基地局装置。
【請求項８】
第１の無線システムから前記第１の無線システムよりも伝送速度が遅い第２の無線システムにハンドオーバする端末に、通常よりも高い優先度を与えることを特徴とする移動通信システム。
【請求項９】
第１の無線システムから前記第１の無線システムよりも伝送速度が遅い第２の無線システムにハンドオーバする端末に、通常よりも高い優先度を与えることを特徴とする優先度設定方法。
【発明の詳細な説明】
【技術分野】
【０００１】
本発明は、基地局装置、端末、移動通信システム及び優先度設定方法に係り、特に伝送速度が異なる無線システムから成る移動通信システム、その移動通信システムに含まれる基地局装置、伝送速度が異なる無線システム間をハンドオーバする端末及びその端末に与える優先度を設定する優先度設定方法に関する。
【背景技術】
【０００２】
近年、異なる技術を使った無線システム同士の相互接続を行い、様々な場所で無線システムに固定されない通信環境を提供する為の検討が行われている。無線システムに固定されない通信環境の一例としては、Ｗ−ＣＤＭＡ（Wideband Code Division Multiple Access）システムと無線ＬＡＮ（Local Area Network）システムとを相互接続した移動通信システムがある。【０００３】
ここでは、通信エリアの面からＷ−ＣＤＭＡシステムと無線ＬＡＮシステムとを比較する。Ｗ−ＣＤＭＡシステムは、基地局のセル半径が数ｋｍと広く、基地局を跨いで移動しても通信が継続されるので、サービスエリアを大きく広げることができる。【０００４】
一方、ＩＥＥＥ８０２．１１規格に準拠している無線ＬＡＮシステムは、アクセスポイントの通信範囲が数十〜数百ｍと狭く、アクセスポイント間のハンドオーバが規定されていない。ハンドオーバとは、端末が移動しながら通信を行っている場合に、接続しているアクセスポイントを自動的に切り替える操作を言う。したがって、無線ＬＡＮシステムは通信したままアクセスポイント間を移動できず、サービスエリアを大きく広げることができない。【０００５】
続いて、伝送速度の面からＷ−ＣＤＭＡシステムと無線ＬＡＮシステムとを比較する。ＩＥＥＥ８０２．１１ａ，ｇ規格に準拠している無線ＬＡＮシステムは、伝送速度が最大５４Ｍｂｐｓとなり、Ｗ−ＣＤＭＡシステムの伝送速度１４．４Ｍｂｐｓよりも高速である。【０００６】
よって、Ｗ−ＣＤＭＡシステムと無線ＬＡＮシステムとを相互接続した移動通信システムでは、高速移動中にＷ−ＣＤＭＡシステムを使用し、静止状態で高速な通信を行なう場合に無線ＬＡＮシステムを使用するというように、異なる技術を使った無線システムの長所を生かして常に最適な通信が行える。【０００７】
また、移動通信システムでは例えばパケット通信が行われる。このようなパケット通信では、限られた無線リソースに多数のパケットを多重する為のスケジューラが用いられている。パケット通信では、音声サービスやリアルタイム通信サービス等の遅延の要求が厳しいサービスに対処する為、サービスや端末毎に優先度を設けて優先度に応じたスケジューリングを行っている。【０００８】
非特許文献１には、無線ＬＡＮシステムとＵＭＴＳ（Universal Mobile Telecommunications System）とのハンドオーバ等を行なう手順やシステムが開示されている。非特許文献２には、異種無線アクセスネットワーク（ＲＡＮ）間でハンドオーバを行なう端末について開示されている。特許文献１には、新しいサービスエリアにハンドオーバする新参端末と、そのサービスエリアの古参端末とのパケットに関する優先度を、予め定められた定義に従って変更する無線通信システムが開示されている。
【特許文献１】特開２００３−１１０５７４号公報
【非特許文献１】UMA-Unlicensed Mobile Access(UMA) technology(http://www.umatechnology.org/)UMA User Perspective(Stage 1)R1.0.0
【非特許文献２】２００３年  電子情報通信学会総合大会  Ｂ−５−１３３  ＲＡＮオーバレイ型ＭＩＲＡＩシステム
【発明の開示】
【発明が解決しようとする課題】
【０００９】
異なる技術を使った無線システム同士の相互接続を行い、常に通信を行えるようにする為には、シームレスな無線システム間のハンドオーバが重要である。しかしながら、伝送速度が異なる無線システム間をハンドオーバした場合、伝送速度が高速な無線システムに接続していた端末は、伝送速度が低速な無線システムにハンドオーバしたあと伝送レートが急激に遅くなる。【００１０】
例えばＩＥＥＥ８０２．１１ａ，ｇ規格に準拠している無線ＬＡＮシステムからＷ−ＣＤＭＡシステムにハンドオーバした場合は、最大伝送速度で３．７５倍（５４Ｍｂｐｓ／１４．４Ｍｂｐｓ）の差がある。また、一般にハンドオーバする端末の伝搬環境は劣悪であり、スケジューラによって伝搬環境が悪い端末の優先度が下がるように無線リソースが割り当てられる。したがって、伝送速度が高速な無線システムから伝送速度が低速な無線システムにハンドオーバした端末の伝送速度は急激に遅くなっていた。【００１１】
伝送速度が遅くなると遅延は増大する。したがって、遅延の揺らぎに敏感なアプリケーションや遅延の大きさが問題となるサービス（ゲームやネットトレーディング等）が致命的な影響を受けるので、急激な伝送レートの低下を避けなければならないという問題があった。【００１２】
本発明は、上記の点に鑑みなされたもので、伝送速度が異なる無線システム間をハンドオーバするときに伝送速度の急激な低下を緩和する基地局装置、端末、移動通信システム及び優先度設定方法を提供することを目的とする。
【課題を解決するための手段】
【００１３】
上記課題を解決するため、本発明は、第１の無線システムに含まれる基地局装置であって、伝送速度が第１の無線システムよりも速い第２の無線システムからハンドオーバしてきた端末に、通常よりも高い優先度を与えることを特徴とする。【００１４】
また、本発明は、伝送速度の異なる無線システム間をハンドオーバする端末であって、第１の無線システムから前記第１の無線システムよりも伝送速度が遅い第２の無線システムにハンドオーバするときに、通常よりも高い優先度を前記第２の無線システムに含まれる基地局装置から与えられることを特徴とする。【００１５】
また、本発明の移動通信システムは、第１の無線システムから前記第１の無線システムよりも伝送速度が遅い第２の無線システムにハンドオーバする端末に、通常よりも高い優先度を与えることを特徴とする。【００１６】
また、本発明の優先度設定方法は、第１の無線システムから前記第１の無線システムよりも伝送速度が遅い第２の無線システムにハンドオーバする端末に、通常よりも高い優先度を与えることを特徴とする。【００１７】
本発明では、伝送速度が高速な無線システムから伝送速度が低速な無線システムにハンドオーバした端末に、通常よりも高い優先度を与えることにより、その端末の伝送速度の急激な低下を避けることができる。なお、伝送速度が高速な無線システムから伝送速度が低速な無線システムにハンドオーバしてきた端末による無線リソースの独占を防ぐため、所定時間が経過した後で優先度を通常に戻すようにすることができる。【００１８】
なお、伝送速度が高速な無線システムから伝送速度が低速な無線システムにハンドオーバした端末に与える優先度は、例えばＱｏＳ，ＳＩＲ，ＣＩＲ，受信レベルが同一な端末に通常与えられる優先度よりも高い優先度を与えるようにすることができる。
【発明の効果】
【００１９】
本発明によれば、伝送速度が異なる無線システム間をハンドオーバするときに伝送速度の急激な低下を緩和する基地局装置、端末、移動通信システム及び優先度設定方法を提供可能である。
【図面の簡単な説明】
【００２０】
【図１】本発明による移動通信システムの一実施例の構成図である。
【図２】本発明による端末の一実施例の構成図である。
【図３】基地局又はネットワーク制御局の一実施例の構成図である。
【図４】システム間ハンドオーバ判定部の処理手順の一例を示すフローチャートである。
【図５】優先度決定部の処理手順の一例を示すフローチャートである。
【図６】従来の移動通信システムにおけるスケジューリングを表すイメージ図である。
【図７】本発明の移動通信システムにおけるスケジューリングを表すイメージ図である。
【符号の説明】
【００２１】
１００    端末
１１０    システム間ハンドオーバ検出部
１１１    受信電力測定部
１１２    スループット検出部
１１３    ハンドオーバ検出部
１２０    アプリケーション
１３０    ベースバンド処理部
１４０    変復調器
１５０    送受信機
１６０    制御部
２００，３００    無線システム
４００    ネットワーク
４０１    スケジューラ
４０２    優先度決定部
４０３    システム間ハンドオーバ判定部
４０４    タイマ
【発明を実施するための最良の形態】
【００２２】
本発明では伝送速度が高速な無線システムから伝送速度が低速な無線システムにハンドオーバした端末に、通常よりも高い優先度を与える為、以下のような各種手段を提供する。【００２３】
まず、本発明では、端末が無線システム間をハンドオーバするかどうかを判定するシステム間ハンドオーバ検出手段をハンドオーバ元の無線システム又は端末に設置し、無線システム間ハンドオーバ検出手段によりハンドオーバを検出する。【００２４】
ハンドオーバ先の無線システムには、端末が伝送速度の高速な無線システムからハンドオーバしてきたか否かを判定する為の情報が通知される。本発明では、ハンドオーバ先の無線システムに、伝送速度の高速な無線システムからハンドオーバしてきた端末に対して通常よりも高い優先度を優先度決定手段に決定させる無線システム間ハンドオーバ判定手段を設置する。【００２５】
したがって、優先度決定手段は伝送速度の高速な無線システムからハンドオーバしてきた端末に対して通常よりも高い優先度を決定し、その優先度をスケジューラに通知することができる。なお、無線システム間ハンドオーバ判定手段は、伝送速度の高速な無線システムからハンドオーバしてきた端末による無線リソースの独占を防ぐため、所定時間が経過した後で優先度を通常に戻すことができる。【００２６】
また、伝送速度が高速な無線システムからハンドオーバしてきた端末に与える優先度は、例えばＱｏＳ（Quality of Service），ＳＩＲ（Signal to Interference Ratio），ＣＩＲ（Carrier to Interference Ratio），受信レベル等が同一な端末に通常与えられる優先度よりも高い優先度を与えるようにすることができる。【００２７】
以下、本発明を実施するための最良の形態を、以下の実施例に基づき図面を参照しつつ説明していく。
【実施例１】
【００２８】
図１は、本発明による移動通信システムの一実施例の構成図である。図１の移動通信システムは、端末（ＭＳ）１００と、無線システム２００と、無線システム３００と、無線システム２００及び無線システム３００を接続するネットワーク（例えばＩＰネットワーク）４００とを含む構成である。本実施例では、無線システム２００が無線ＬＡＮシステム、無線システム３００がＷ−ＣＤＭＡシステムである例を説明する。【００２９】
端末１００は、無線ＬＡＮシステム及びＷ−ＣＤＭＡシステムのどちらとも通信が可能であり、無線ＬＡＮシステムとＷ−ＣＤＭＡシステムとの間でハンドオーバが可能である。つまり、端末１００は移動しながら通信を行っている場合に、接続している無線ＬＡＮシステム又はＷ−ＣＤＭＡシステムを自動的に切り替えることができる。【００３０】
図２は、本発明による端末の一実施例の構成図である。端末１００は、システム間ハンドオーバ検出部（システム間ＨＯ検出部）１１０と、アプリケーション１２０と、ベースバンド処理部（ＢＢ）１３０と、変復調器（ＭＯＤ）１４０と、送受信機（ＴＲＸ）１５０と、制御部（ＣＮＴ）１６０とを含む構成である。また、システム間ハンドオーバ検出部１１０は、受信電力測定部１１１と、スループット検出部１１２と、ハンドオーバ検出部（ＨＯ検出部）１１３とを含む。【００３１】
端末１００は、無線ＬＡＮシステム及びＷ−ＣＤＭＡシステムのどちらとも通信を行なう為、変復調器１４０と送受信機１５０とを、それぞれ無線ＬＡＮシステム及びＷ−ＣＤＭＡシステム毎に備えている。端末１００は、それぞれ無線ＬＡＮシステム及びＷ−ＣＤＭＡシステム毎の変復調器１４０と送受信機１５０とを制御部１６０により制御して通信を行なう。【００３２】
本実施例では、制御部１６０が無線ＬＡＮシステム及びＷ−ＣＤＭＡシステムのどちらか一方を選択する例を説明するが、無線ＬＡＮシステム及びＷ−ＣＤＭＡシステムの二つの系統を独立に実装すれば、無線ＬＡＮシステム及びＷ−ＣＤＭＡシステムと同時に通信することもできる。【００３３】
また、端末１００はシステム間ハンドオーバ検出部１１０により無線ＬＡＮシステムとＷ−ＣＤＭＡシステムとの間のハンドオーバを検出する。システム間ハンドオーバ検出部１１０は、受信電力測定部１１１やスループット検出部１１２により無線ＬＡＮシステム及びＷ−ＣＤＭＡシステムの受信電力やスループットを測定することにより、無線ＬＡＮシステムとＷ−ＣＤＭＡシステムとの間でハンドオーバを行なうべきか否かをハンドオーバ検出部１１３で判定し、ハンドオーバ先の無線ＬＡＮシステム又はＷ−ＣＤＭＡシステムに所定の情報を通知する。【００３４】
具体的に、システム間ハンドオーバ検出部１１０はネットワークにおけるサービス品質を表すＱｏＳ情報の他、ハンドオーバ元の無線ＬＡＮシステム又はＷ−ＣＤＭＡシステムの情報（ＳＩＲ，ＣＩＲ，受信レベル，最大伝送速度，平均伝送速度など）を含むシステム間ハンドオーバ情報を、ハンドオーバ先の無線ＬＡＮシステム又はＷ−ＣＤＭＡシステムに通知する。【００３５】
ここでは、端末１００が伝送速度の高速な無線システム２００から伝送速度の低速な無線システム３００にハンドオーバする例を説明する。端末１００のシステム間ハンドオーバ検出部１１０は無線ＬＡＮシステムである無線システム２００からＷ−ＣＤＭＡシステムである無線システム３００にハンドオーバするべきと判定すると、Ｗ−ＣＤＭＡシステムである無線システム３００に含まれる基地局（基地局装置）又はネットワーク制御局に、前述したＱｏＳ情報、システム間ハンドオーバ情報を通知する。【００３６】
図３は、基地局又はネットワーク制御局の一実施例の構成図である。基地局又はネットワーク制御局は、スケジューラ４０１と、優先度決定部４０２と、システム間ハンドオーバ判定部４０３とを含む構成である。【００３７】
システム間ハンドオーバ判定部４０３は、端末１００から前述したシステム間ハンドオーバ情報を受信し、そのシステム間ハンドオーバ情報に基づいて伝送速度が高速な無線システム２００からのハンドオーバであると判定する。【００３８】
システム間ハンドオーバ判定部４０３は、伝送速度が高速な無線システム２００からのハンドオーバであると判定した為、優先度決定部４０２に優先度加算情報を送信する。優先度決定部４０２は、端末１００から受信したＱｏＳ情報とシステム間ハンドオーバ判定部４０３から受信した優先度加算情報とに基づき、端末１００の優先度を決定する。【００３９】
具体的に、優先度決定部４０２は各端末から受信したＱｏＳ情報に基づいて、その端末から受信したパケットの優先度を決定する。優先度決定部４０２は、システム間ハンドオーバ判定部４０３から優先度を上げることを表す優先度加算情報を受信している端末１００の優先度を、同一のＱｏＳである他の端末よりも高く決定する。即ち、優先度決定部４０２は伝送速度が高速な無線システム２００からハンドオーバしてきた端末１００に対して通常よりも高い優先度を設定している。【００４０】
優先度決定部４０２は、決定した各端末毎の優先度をスケジューラ４０１に送信する。スケジューラ４０１は、優先度決定部４０２から受信した各端末毎の優先度に基づいて、各端末から受信したパケットのスケジューリングを行い、パケットを送信する。【００４１】
端末１００は、通常よりも高い優先度が設定されている為、端末１００からのパケットが通常よりも優先的に送信され、伝送速度が高速な無線システム２００から伝送速度が低速な無線システム３００にハンドオーバした場合であっても伝送速度の低下を緩和することができる。【００４２】
図４は、システム間ハンドオーバ判定部の処理手順の一例を示すフローチャートである。ステップＳ１に進み、システム間ハンドオーバ判定部４０３は端末１００から前述したシステム間ハンドオーバ情報を受信する。【００４３】
ステップＳ２に進み、システム間ハンドオーバ判定部４０３はシステム間ハンドオーバ情報に基づき、伝送速度が高速な無線システムから伝送速度が低速な無線システムへのハンドオーバか否かを判定する。【００４４】
伝送速度が高速な無線システムからのハンドオーバであると判定すれば（Ｓ２においてＹＥＳ）、システム間ハンドオーバ判定部４０３はステップＳ３に進み、タイマ４０４を起動して、タイマ４０４の値ｔに優先度を上げておく期間Ｔ＿ｌｉｍｉｔを設定する。【００４５】
一方、伝送速度が高速な無線システムからのハンドオーバでなければ（Ｓ２においてＮＯ）、システム間ハンドオーバ判定部４０３は図４に示すフローチャートの処理を終了する。【００４６】
ステップＳ３に続いてステップＳ４に進み、システム間ハンドオーバ判定部４０３はタイマ４０４の値ｔと期間Ｔ＿ｌｉｍｉｔとが等しいか否かを判定する。システム間ハンドオーバ判定部４０３はタイマ４０４の値ｔと期間Ｔ＿ｌｉｍｉｔとが等しければ（Ｓ４においてＹＥＳ）、ステップＳ５に進み、優先度加算情報を「上げる」に設定する。【００４７】
即ち、ステップＳ３の処理によりタイマ４０４の値ｔに期間Ｔ＿ｌｉｍｉｔを設定した直後のステップＳ４では、タイマ４０４の値ｔと期間Ｔ＿ｌｉｍｉｔとが等しいと判定され、ステップＳ５で優先度加算情報が「上げる」に設定される。【００４８】
ステップＳ６に進み、システム間ハンドオーバ判定部４０３は優先度決定部４０２に「上げる」が設定された優先度加算情報を通知する。ステップＳ７に進み、タイマ４０４は値ｔを１だけ減算する。そして、システム間ハンドオーバ判定部４０３はステップＳ７からステップＳ４の処理に戻る。【００４９】
一方、システム間ハンドオーバ判定部４０３はタイマ４０４の値ｔと期間Ｔ＿ｌｉｍｉｔとが等しくなければ（Ｓ４においてＮＯ）、ステップＳ８に進み、タイマ４０４の値ｔが０以上であるか否かを判定する。タイマ４０４の値ｔが０以上であれば（Ｓ８においてＹＥＳ）、ステップＳ７に進み、タイマ４０４は値ｔを１だけ減算する。そして、システム間ハンドオーバ判定部４０３はステップＳ７からステップＳ４の処理に戻る。【００５０】
タイマ４０４の値ｔが０以上でなければ（Ｓ８においてＮＯ）、システム間ハンドオーバ判定部４０３はステップＳ９に進み、優先度加算情報を「元に戻す」に設定する。【００５１】
即ち、ステップＳ３で設定された優先度を上げておく期間Ｔ＿ｌｉｍｉｔが経過したあとのステップＳ８では、タイマ４０４の値ｔが０以上でないと判定され、ステップＳ９で優先度加算情報が「元に戻す」に設定される。【００５２】
ステップＳ９に続いてステップＳ１０に進み、システム間ハンドオーバ判定部４０３は優先度決定部４０２に「元に戻す」が設定された優先度加算情報を通知したあと、図４に示すフローチャートの処理を終了する。【００５３】
図５は、優先度決定部の処理手順の一例を示すフローチャートである。ステップＳ２１に進み、優先度決定部４０２は、端末１００から前述したＱｏＳ情報を受信する。ステップＳ２２に進み、優先度決定部４０２は受信したＱｏＳ情報に応じた優先度を決定する。例えば優先度決定部４０２はＱｏＳ情報と優先度とを対応付けたテーブルを参照し、受信したＱｏＳ情報に応じた優先度を決定できる。【００５４】
ステップＳ２３に進み、優先度決定部４０２はシステム間ハンドオーバ判定部４０３から優先度加算情報を受信したか否かを判定する。優先度加算情報を受信したと判定すれば（Ｓ２３においてＹＥＳ）、優先度決定部４０２はステップＳ２４に進み、受信した優先度加算情報に「上げる」が設定されているか否かを判定する。【００５５】
受信した優先度加算情報に「上げる」が設定されていれば（Ｓ２４においてＹＥＳ）、優先度決定部４０２はステップＳ２５に進み、その端末の優先度を所定値αだけ高くしたあと、ステップＳ２７に進む。【００５６】
一方、受信した優先度加算情報に「上げる」が設定されていなければ（Ｓ２４においてＮＯ）、受信した優先度加算情報に「元に戻す」が設定されている為、優先度決定部４０２はステップＳ２６に進み、以前のステップＳ２５で所定値αだけ高くされた、その端末の優先度を所定値αだけ低くすることにより、ＱｏＳ情報に応じた通常の優先度に戻したあと、ステップＳ２７に進む。なお、ステップＳ２３において、優先度加算情報を受信していなければ（Ｓ２３においてＮＯ）、優先度決定部４０２はステップＳ２７に進む。【００５７】
ステップＳ２７では、優先度決定部４０２が、各端末毎の優先度をスケジューラ４０１に通知したあと、図５に示すフローチャートの処理を終了する。【００５８】
次に、スケジューラ４０１が行なうスケジューリングの一例として、Ｗ−ＣＤＭＡシステムのＨＳＤＰＡ（High Speed Downlink Packet Access）を使ったスケジューリングについて説明する。【００５９】
優先度は、ＭＣＳ（Modulation and Coding Scheme）で表し、例えば表１のようなＭＣＳセットを使う。ただし、コード多重数は１とする。また、ＱｏＳ情報としては無線伝搬環境の品質を用いることにする。【００６０】
【表１】
0004318731.tif 000002
図６は、従来の移動通信システムにおけるスケジューリングを表すイメージ図である。また、図７は本発明の移動通信システムにおけるスケジューリングを表すイメージ図である。【００６１】
ユーザ１は、Ｗ−ＣＤＭＡシステムのセルＸに始めからいたユーザの端末を表している。ユーザ２は、無線ＬＡＮシステムからＷ−ＣＤＭＡシステムのセルＸにハンドオーバしてきたユーザの端末を表している。ここでは、ユーザ２が無線ＬＡＮシステムで高速通信中にハンドオーバしてきたと仮定し、ユーザ１よりもデータ量が多いものとする。【００６２】
各ユーザへ送られるデータは、図６及び図７に示すようにスケジューラにて送信割り当てを待つ。スケジューラは、１ＴＴＩ（Transmission Time Interval）毎に各ユーザへ送信権を割り当てている。また、スケジューラは端末および基地局間の伝搬環境等により求められたＭＣＳに従って１ＴＴＩ当たりのデータ量を決める。【００６３】
図６では、ユーザ１にＭＣＳ２，ユーザ２にＭＣＳ１が割り当てられている。表１よりコード多重数が１の場合の１ＴＴＩ当たりのデータ量はＭＣＳ１で４０ｂｉｔ，ＭＣＳ２で８０ｂｉｔである。【００６４】
各ユーザに送信権が順番に割り当てられるとすると、従来の移動通信システムにおけるスケジューリングでは図６に示すようになる。即ち、送信が完了するのは送信開始から９ＴＴＩ後になる。【００６５】
一方、図７ではユーザ１及びユーザ２にＭＣＳ１が割り当てられている。本発明では、伝送速度が高速な無線システムからハンドオーバしてきたユーザの端末に対して通常よりも高速なＭＣＳが選択される。表１よりコード多重数が１の場合の１ＴＴＩ当たりのデータ量は、ＭＣＳ２で８０ｂｉｔである。【００６６】
各ユーザに送信権が順番に割り当てられるとすると、本発明の移動通信システムにおけるスケジューリングでは図７に示すようになる。即ち、１ＴＴＩ当たりの伝送データ量が大きくなり、送信が完了するのは送信開始から５ＴＴＩ後になる。【００６７】
以上のように、本発明の移動通信システムにおけるスケジューリングでは、伝送速度が高速な無線システムから伝送速度が低速な無線システムにハンドオーバしてきた端末に対して、通常よりも高い優先度を与えることにより、伝送速度の急激な低下を緩和することができる。【００６８】
なお、本実施例では、システム間ハンドオーバ検出部１１０を端末１００に備えた例を説明したが、例えばハンドオーバ元の無線システム２００に含まれるアクセスポイントやネットワーク制御局に備えるようにしてもよい。【００６９】
この場合、システム間ハンドオーバ検出部１１０からハンドオーバ先の無線システム３００に通知されるＱｏＳ情報およびシステム間ハンドオーバ情報は、ネットワーク４００経由で送信しても良いし、端末１００経由で送信してもよい。【００７０】
さらに、本実施例では、図５に示すフローチャートにおいて優先度を一度に下げる（元に戻す）例を説明したが、段階的に下げるようにしてもよい。本発明は、具体的に開示された実施例に限定されるものではなく、特許請求の範囲から逸脱することなく、種々の変形や変更が可能である。
【図１】
0004318731.tif 000003
【図２】
0004318731.tif 000004
【図３】
0004318731.tif 000005
【図４】
0004318731.tif 000006
【図５】
0004318731.tif 000007
【図６】
0004318731.tif 000008
【図７】
0004318731.tif 000009